(57)【要約】【課題】操作が容易で、加工が簡単でかつ早くできることを目的とする線状鋼材折り曲げ工具を提供する。【解決手段】線状鋼材折り曲げ工具において、線状鋼材の挟持部は、一方に長手方向に沿った凸部と、他方に長手方向に沿った凹部と、を形成し、凸部面は既直角形を成して凹部面は凸部面の既直角形に噛合う形状を成し，且つ凹部底部に溝を形成し、この溝の幅は、挟持部の長手方向に沿って連続的に変化させる。【選択図】図１
2015202559.tif 000002
【特許請求の範囲】
【請求項１】
一対の棒状部材で、この一対の棒状部材を回動可能に結合する回動支軸を有し、前記一対の棒状部材の、それぞれの一端側に把手部と、それぞれの他端部に挟持部とを設け、この挟持部は、一方に長手方向に沿った凸部と、他方に長手方向に沿った凹部と、を形成し、前記凸部面は既直角形を成して前記凹部面は前記凸部面の既直角形に噛合う形状を成し，且つ前記凹部底部に溝を形成し、この溝の幅は、前記挟持部の長手方向に沿って連続的に変化させる、ことを特徴とする線状鋼材折り曲げ工具。
【請求項２】
前記挟持部の長手方向に沿って、連続的に変化させた溝幅に相当する印を形成することを特徴とする請求項１に記載の線状鋼材折り曲げ工具。
【発明の詳細な説明】
【技術分野】
【０００１】  本発明は、特に線状の鋼材を挟持して真角に加工するのに好適な線状鋼材折り曲げ工具に関する。
【背景技術】
【０００２】  従来の線状鋼材折り曲げ工具については、単に細い線で有っても真角に曲げることは、難しく、大変だった。線状鋼材を、線状鋼材折り曲げ工具に咥えて曲げた方はまっすぐに成っても、咥えて無い方は、丸みを帯びてしまった。
従って、線状鋼材を直行状に曲げる工具として、以下の線状鋼材折り曲げ工具が有る。【０００３】  例えば、一対の把手部と、これらの把手部のそれぞれの先端部に前記把手部と一体に形成された挟持部と、この一対の挟持部の相対向する面に長手方向に設けた溝と、前記一対の挟持部の一方に設けた溝にねじ等の取り付けが自在な固定装置にて固定した凸部等の曲げ型を有する第一の折り曲げ用金型と、他方の挟持部に設けた溝にねじ等の取り付けが自在な固定装置にて固定いし、前記第一の折り曲げ用金型と対をなす形状を有する第二の折り曲げ用金型を備えた折り曲げ用工具がある（例えば、特許文献１）。【０００４】  また、やっとこ状の主体の挟持口にその衝合面相互間へ凸条と凹溝を対峙させて設けたことを特徴とする電子部品の脚部折り曲げ工具がある（例えば、特許文献２）。
【先行技術文献】
【特許文献】
【０００５】
【特許文献１】  実開昭４９−１３５８９８号公報
【特許文献２】  実開昭５２−１６２４５１号公報
【発明の概要】
【発明が解決しようとする課題】
【０００６】  上記背景技術においては、以下の課題が有った。即ち、上記折り曲げ工具で線状鋼材を折り曲げると、
（イ）一方は直線に曲がっても、他方が丸みを帯びてしまった。
（ロ）折り曲げた先端が直角に成らなかった。
（ハ）折り曲げた線の折り曲げ部の両方の形状が同じにならなかった。
（ニ）１種類の太さの線状鋼材しか折り曲げることができず、太さが変わってしまうと、正確に折り曲げることができない。
【課題を解決するための手段】
【０００７】  上記課題を解決する為の実施態様１の線状鋼材折り曲げ工具は、一対の棒状部材で、この一対の棒状部材を回動可能に結合する回動支軸を有し、前記一対の棒状部材の、それぞれの一端側に把手部と、それぞれの他端部に挟持部とを設け、この挟持部は、一方に長手方向に沿った凸部と、他方に長手方向に沿った凹部と、を形成し、前記凸部面は既直角形を成して前記凹部面は前記凸部面の既直角形に噛合う形状を成し，且つ前記凹部底部に溝を形成し、この溝の幅は、前記挟持部の長手方向に沿って連続的に変化させる、ことを特徴とするものである。【０００８】  また、上記課題を解決する為の実施態様２の線状鋼材折り曲げ工具は、実施態様１において、前記挟持部の長手方向に沿って、連続的に変化させた溝幅に相当する印を形成することを特徴とするものである。
【発明の効果】
【０００９】  上記、実施態様１において、線状鋼材を折り曲げる場合には、把手部を持って挟持部に挟持部長手方向に直交する向きに線状鋼材載置・保持し、把手部を握り締める事により、挟持部が噛合って、当該挟持部面に形成された概直角形の凹凸部で線状鋼材を挟み込み、線状鋼材を概直角形に折り曲げる事が出来る。また、挟み持ち部の底部に溝を形成しているので、線状鋼材を折り曲げに際して、当該溝により線状鋼材の直角形の曲げ部より確実に成形することが出来る。【００１０】  さらに、挟持部凹部底部の溝の幅は挟持部の長手方向に沿って連続的に変化させているので、数種類の線径を有する線状鋼材を折り曲げるに際して、線状鋼材の線径に応じて、挟持部の所定の溝幅の位置に線状鋼材を載置して折り曲げるので、当該線状鋼材の線径に応じた溝幅により、当該線径の線状鋼材の直角形の曲げ部をより適切に成形することが出来る。【００１１】  上記、実施態様２において、実施態様１の挟持部の長手方向に沿って連続的に変化させた溝幅に相当する印を形成しているので、数種類の線径を有する線状鋼材を折り曲げるに際して、線状鋼材の線径に応じて、溝幅に相当する印を目印にして、線状鋼材を挟持の所定の溝幅の位置に載置することが出来る。
【図面の簡単な説明】
【００１２】
【図１】本発明に係わる線状鋼材折り曲げ工具の全体斜視図
【図２】同線状鋼材折り曲げ工具のＡ−Ａ’方向の断面図
【図３】同線状鋼材折り曲げ工具に線状鋼材を載置した状態の斜視図
【図４】同線状鋼材折り曲げ工具に載置した線状鋼材の曲げ開始状態図
【図５】同線状鋼材折り曲げ工具に載置した線状鋼材の曲げ終了状態図
【図６】同線状鋼材折り曲げ工具のＡ−Ａ’の断面図（線状鋼材折り曲げ時）
【図７】同線状鋼材折り曲げ工具の溝部詳細図
【図８】同線状鋼材折り曲げ工具の溝幅に相当する印を示す図
【図９】同線状鋼材折り曲げ工具挟持部の第２実施例図
【発明を実施するための形態】
【実施例１】
【００１３】  本発明の線状鋼材折り曲げ工具１００の一実施構成例につき、以下、図１乃至図２並びに図７に基づいて説明する。【００１４】  図１において、線状鋼材折り曲げ工具１００は、一対の棒状部材１で、この一対の棒状部材１を回動可能に結合する回動支軸２を有し、一対の棒状部材１の、それぞれの一端側に把手部１ａ１ｂと、それぞれの他端部に挟持部３ａ３ｂ、とを設ける。【００１５】  挟持部３ａ３ｂは、一方に長手方向（即ち回動支軸２から先端部４への方向）に沿った凸部５と、他方に長手方向（即ち回動支軸２から先端部４への方向）に沿った凹部６と、を形成する。【００１６】  図２に示すように、凸部５の表面は既直角形を成して、凹部６の表面は凸部５の表面の既直角形に噛合う形状を成し、且つ凹部５の底部に溝７を形成し、図７（線状鋼材折り曲げ工具の挟持部３ａ３ｂを開いた状態で、先端部４から回動支軸２方向への斜視図）に示すように、溝７の幅は、挟持部３ｂの長手方向（即ち回動支軸２から先端部４への方向）に沿って連続的に変化させる。【００１７】  線状鋼材折り曲げ工具の一使用状態例について、以下、図３乃至図５に基づいて説明する。【００１８】  線状鋼材１０（本実施例では配線用の電線を示しているが、配線用の配管でも良い）を折り曲げる場合には、図３で示すように（ただし、操作者の手は省略）、把手部１ａ１ｂを操作者の一方の手で持ち、線状鋼材１０を、操作者の他方の手で持って、挟持部３ａ３ｂの長手方向（即ち回動支軸２から先端部４への方向）に直交する向きにして、挟持部３ａ３ｂに載置・保持する。【００１９】  次に、図４から図５で示すように（ただし、操作者の手は省略）、把手部１ａ１ｂを握り締める事により、挟持部３ａ３ｂが噛合うことで、この挟持部３ａ３ｂ面に形成された概直角形の凹部６及び凸部５で、線状鋼材１０を挟み込み、線状鋼材１０を概直角形に折り曲げる事が出来る。【００２０】  ここで、図６で示すように、線状鋼材１０を折り曲げたときに、挟持部３ｂの凹部６底部に溝７を形成しているので、折り曲げた直角形部を、この溝７に開放することにより、線状鋼材１０の折り曲げ部を、より直角形に確実に成形することが出来る。【００２１】  また、挟持部３ｂの凹部６底部の溝７の幅は、図７で示すように、挟持部３ｂの長手方向（即ち回動支軸２から先端部４への方向）に沿って連続的に変化させる。【００２２】  これにより、数種類の線径を有する線状鋼材１０を折り曲げるに際して、線状鋼材１０の線径に応じて、挟持部３ａ３ｂの所定の溝７幅の位置に、線状鋼材１０を載置して折り曲げることができる。【００２３】  即ち、図６及び図７で示すように、線状鋼材１０を折り曲げたときに、挟持部３ｂの凹部６底部の溝７の幅は、線状鋼材１０の線径に適切な溝７幅に設定しているので、線状鋼材１０の折り曲げ部を、より直角形に適切に成形することが出来る。【００２４】  図８において、（ａ）は線状鋼材折り曲げ工具１０の先端部４の図２Ａ−Ａ’方向の断面図であり、（ｂ）は線状鋼材折り曲げ工具１０の回動支軸２近傍の図２Ａ−Ａ’方向の断面図である。（ｃ）は印（マーク）８を線状鋼材１０の概略線径値で表したものである。また（ｄ）は印（マーク）８を線状鋼材１０の概略線径幅で表したものである。【００２５】  図７及び図８（ａ）（ｂ）で示すように、挟持部３ｂの凹部６底部の溝７の幅は、挟持部３ｂの長手方向（即ち回動支軸２から先端部４への方向）に沿って、回動支軸２側を幅大から先端部に向けて幅小に連続的に変化させる。【００２６】  これにより、線径大の線状鋼材１０を折り曲げる場合に、回動支軸２に近い幅大の溝７を利用して折り曲げるので、回動支軸２を支点とする「テコの原理」により、把手部１ａ１ｂを軽く握り締めても、線状鋼材１０を容易に折り曲げることができる。【００２７】  図８（ｃ）（ｄ）で示すように、挟持部３ｂの長手方向（即ち回動支軸２から先端部４への方向）に沿って、連続的に変化させた溝７の幅に相当する印（マーク）８を形成する。【００２８】  これにより、挟持部３ｂの長手方向（即ち回動支軸２から先端部４方向）に沿って、連続的に変化させた溝７の幅に相当する印（マーク）８を形成しているので、数種類の線径を有する線状鋼材１０を折り曲げるに際して、線状鋼材１０の線径に応じて、溝７の幅に相当する印（マーク）８を目印にして、線状鋼材１０を挟持部３ｂの所定の溝７の幅の位置に載置することが出来る。【００２９】  なお、本実施例では、印（マーク）８を、挟持部３ａの外側面に設けたが、挟持部３ｂの外側面に設けても良い。
【実施例２】
【００３０】  本発明の線状鋼材折り曲げ工具１００の他の実施例につき、以下、図９に基づいて説明する。【００３１】  本実施例では、線状鋼材折り曲げ工具１００の把手部１ａ１ｂと挟持部３ａ３ｂとを、回動支軸２を中心にして概９０度の角度に曲折させたものである。【００３２】  これにより、把手部１ａ１ｂを操作者の一方の手で持ち（ただし操作者の手は省略）、線状鋼材１０を、操作者の他方の手で持ち（ただし操作者の手は省略）、挟持部３ａ３ｂの長手方向（即ち回動支軸２から先端部４への方向）に直交する向きにして、挟持部３ａ３ｂに載置・保持する際に、操作者の両手の向きを平行させて操作することができるので、操作性が向上する。
【産業上の利用可能性】
【００３３】  電気工事現場において、配線電線や配電管などを綺麗に折り曲げることができる。また、餅焼き網、湯豆腐用の網等を、針金等で形や模様を作る際に、細かな作業を容易に行うことができる。
【図面の簡単な説明】
【００３４】１          棒状部材
１ａ  １ｂ  把手部
２          回動支軸
３ａ  ３ｂ  挟持部
４          先端部
５          凸部
６          凹部
７          溝部
８          印（マーク）
【図１】
2015202559.tif 000003
【図２】
2015202559.tif 000004
【図３】
2015202559.tif 000005
【図４】
2015202559.tif 000006
【図５】
2015202559.tif 000007
【図６】
2015202559.tif 000008
【図７】
2015202559.tif 000009
【図８】
2015202559.tif 000010
【図９】
2015202559.tif 000011
【手続補正書】
【提出日】平成26年10月3日(2014.10.3)
【手続補正１】
【補正対象書類名】特許請求の範囲
【補正対象項目名】請求項１
【補正方法】変更
【補正の内容】
【請求項１】
一対の棒状部材で、この一対の棒状部材を回動可能に結合する回動支軸を有し、前記一対の棒状部材の、それぞれの一端側に把手部と、それぞれの他端部に挟持部とを設け、この挟持部は、一方に長手方向に沿った凸部と、他方に長手方向に沿った凹部と、を形成し、前記凸部面は概直角形を成して前記凹部面は前記凸部面の概直角形に噛合う形状を成し，且つ前記凹部底部に溝を形成し、この溝の幅は、前記挟持部の長手方向に沿って連続的に変化させる、ことを特徴とする線状鋼材折り曲げ工具。
【手続補正２】
【補正対象書類名】明細書
【補正対象項目名】０００７
【補正方法】変更
【補正の内容】
【０００７】  上記課題を解決する為の実施態様１の線状鋼材折り曲げ工具は、一対の棒状部材で、この一対の棒状部材を回動可能に結合する回動支軸を有し、前記一対の棒状部材の、それぞれの一端側に把手部と、それぞれの他端部に挟持部とを設け、この挟持部は、一方に長手方向に沿った凸部と、他方に長手方向に沿った凹部と、を形成し、前記凸部面は概直角形を成して前記凹部面は前記凸部面の概直角形に噛合う形状を成し，且つ前記凹部底部に溝を形成し、この溝の幅は、前記挟持部の長手方向に沿って連続的に変化させる、ことを特徴とするものである。
【手続補正３】
【補正対象書類名】明細書
【補正対象項目名】００１６
【補正方法】変更
【補正の内容】
【００１６】  図２に示すように、凸部５の表面は概直角形を成して、凹部６の表面は凸部５の表面の概直角形に噛合う形状を成し、且つ凹部５の底部に溝７を形成し、図７（線状鋼材折り曲げ工具の挟持部３ａ３ｂを開いた状態で、先端部４から回動支軸２方向への斜視図）に示すように、溝７の幅は、挟持部３ｂの長手方向（即ち回動支軸２から先端部４への方向）に沿って連続的に変化させる。